(57)【要約】  干渉状態の発生を最小に抑えながら、それぞれのセルを、Ｅｎｅｒｇｙ  Ｓａｖｉｎｇ  ＣｅｌｌもしくはＣｏｍｐｅｎｓａｔｉｏｎ  Ｃｅｌｌへ遷移させることができる移動通信システム、基地局、通信方法及びプログラムを提供することを目的とする。本発明にかかる移動通信システムは、セル（１）を有する基地局（１０）と、セル（２）を有する基地局（２０）と、を有する。また、本発明にかかる基地局（１０）は、セル（１）が省電力状態に移行する準備ができたことを示す第１の情報を、基地局（２０）に送信するものである。
2014083720.tif 000002
【特許請求の範囲】
【請求項１】
移動通信システムであって、
第１のセルを有する第１の基地局と、
第２のセルを有する第２の基地局と、を有し
前記第１の基地局が、前記第１のセルが省電力状態に移行する準備ができたことを示す第１の情報を、前記第２の基地局に送信する、移動通信システム。
【請求項２】
前記第１の情報は、ＲｅａｄｙＴｏＤｅａｃｔｉｖａｔｉｏｎである、請求項１に記載の移動通信システム。
【請求項３】
前記第１の基地局は、
前記第１のセルが省電力状態に移行することを取り消すための第２の情報を、前記第２の基地局に送信する、請求項１又は２に記載の移動通信システム。
【請求項４】
前記第２の情報は、ｎｏｔＲｅａｄｙＴｏＤｅａｃｔｉｖａｔｉｏｎである、請求項３に記載の移動通信システム。
【請求項５】
前記第１及び第２の情報は、Ｘ２  ｉｎｔｅｒｆａｃｅを介して送信される、請求項３又は４に記載の移動通信システム。
【請求項６】
前記第１及び第２の情報は、Ｘ２ＡＰ：  ＥＮＢ  ＣＯＮＦＩＧ  ＵＰＤＡＴＥを用いて送信される、請求項５に記載の移動通信システム。
【請求項７】
前記第２の基地局は、
前記第１の情報に応じて、前記第１のセルが省電力状態へ移行させる第３の情報を、前記第１の基地局に送信する、請求項１乃至６のいずれか１項に記載の移動通信システム。
【請求項８】
前記第３の情報は、Ｘ２ＡＰ：  ＣＥＬＬ  ＤＥＡＣＴＩＶＡＴＩＯＮメッセージである、請求項７に記載の移動通信システム。
【請求項９】
複数の前記第１のセルが省電力状態に移行し、前記複数の第１のセルのカバーエリアが縮小されると、前記第２のセルのカバーエリアを拡大し前記複数の第１のセルを補償するように構成される場合、
前記第２の基地局は、前記複数の第１の基地局から前記第１の情報を受信する、請求項１乃至８のいずれか１項に記載の移動通信システム。
【請求項１０】
省電力状態に移行する前記複数の第１のセルと、前記複数の第１のセルを補償する前記第２のセルの組み合わせがあらかじめ定められている場合、
前記第２の基地局は、前記複数の第１の基地局のすべてから前記第１の情報を受信すると、前記複数の第１の基地局へ省電力状態への移行を促す第３の情報を送信する、請求項９に記載の移動通信システム。
【請求項１１】
前記第１のセルが省電力状態に移行し、前記第１のセルのカバーエリアが縮小されると、複数の前記第２のセルのカバーエリアを拡大し前記第１のセルを補償するように構成される場合、
前記第１の基地局は、前記複数の第２の基地局へ前記第１の情報を送信する、請求項１乃至８のいずれか１項に記載の移動通信システム。
【請求項１２】
省電力状態に移行する前記第１のセルと、前記第１のセルを補償する前記複数の第２のセルの組み合わせがあらかじめ定められている場合、
前記複数の第２の基地局は、前記第１の情報を受信すると前記第１の基地局へ省電力状態への移行を促す前記第３の情報を送信し、
前記第１の基地局は、前記複数の第２の基地局のすべてから第３の情報を受信すると省電力状態へ移行する、請求項１１に記載の移動通信システム。
【請求項１３】
前記第１のセルが省電力状態に移行し、前記第１のセルのカバーエリアが縮小されると、前記第２のセルのカバーエリアを拡大し前記第１のセルを補償するように構成される場合、
前記第２の基地局と、カバーエリアが拡大された前記第２のセルに隣接する隣接セルを有する第３の基地局との間において、それぞれの基地局において隣接する隣接セルのＰＣＩ情報を交換し、
前記第２及び第３のセルにおいてＰＣＩの重複が発生しないように自身のＰＣＩ値を変更する、請求項１乃至１２のいずれか１項に記載の移動通信システム。
【請求項１４】
前記第２及び第３の基地局は、Ｘ２ ＳＥＴＵＰメッセージを用いて前記ＰＣＩ情報を交換する、請求項１３に記載の移動通信システム。
【請求項１５】
前記第３の基地局は、前記第１の基地局からＸ２ＡＰ：  ＥＮＢ  ＣＯＮＦＩＧ  ＵＰＤＡＴＥを用いて前記第１のセルを補償する前記第２のセルを有する前記第２の基地局に関する情報を受信する、請求項１３又は１４に記載の移動通信システム。
【請求項１６】
前記第３の基地局は、前記第３のセルに在圏する移動局を介して前記第１のセルを補償する前記第２のセルを有する前記第２の基地局に関する情報を受信する、請求項１３又は１４に記載の移動通信システム。
【請求項１７】
第１のセルを有する基地局であって、
前記第１のセルが省電力状態に移行し、前記第１のセルのカバーエリアが縮小されると、第２のセルのカバーエリアを拡大し前記第１のセルを補償するように構成される場合、
前記第２のセルを有する第２の基地局と通信を行う通信手段と、
前記第１のセルが省電力状態に移行する準備ができたことを示す第１の情報を前記通信手段を介して前記第２の基地局へ送信する省電力制御手段と、を備える基地局。
【請求項１８】
第１のセルを有する基地局において用いられる通信方法であって、
前記第１のセルが省電力状態に移行し、前記第１のセルのカバーエリアが縮小されると、第２のセルのカバーエリアを拡大し前記第１のセルを補償するように構成される場合、
前記第１のセルが省電力状態に移行する準備ができたことを示す第１の情報を前記第２のセルを有する第２の基地局へ送信する、通信方法。
【請求項１９】
第１のセルを有する基地局におけるコンピュータに実行させるプログラムが格納された非一時的なコンピュータ可読媒体であって、
前記第１のセルが省電力状態に移行し、前記第１のセルのカバーエリアが縮小されると、第２のセルのカバーエリアを拡大し前記第１のセルを補償するように構成される場合、
前記第１のセルが省電力状態に移行する準備ができたことを示す第１の情報を前記第２のセルを有する第２の基地局へ送信ステップを、コンピュータに実行させるプログラムが格納された非一時的なコンピュータ可読媒体。
【発明の詳細な説明】
【技術分野】
【０００１】
本発明は移動通信システム、基地局、通信方法及びプログラムに関し、特にセルの省電力制御を行う移動通信システム、基地局、通信方法及びプログラムに関する。
【背景技術】
【０００２】
移動通信ネットワークにおいて、ある基地局が管理するセル内に在圏する移動局が少ない、もしくは、セル内に在圏する移動局のデータ通信量が少ない等の場合に、その基地局は、省電力状態（Energy Saving State）へ遷移することがある。Energy Saving Stateは、３ＧＰＰの技術仕様書において定義されており、例えば、基地局におけるいくつかの機能が停止される、もしくは、基地局内のリソースの使用が制限される、という状態であってもよい。【０００３】
基地局がEnergy Saving Stateへ遷移した場合、基地局が管理するセルのカバーエリアが縮小される。そのため、基地局がEnergy Saving Stateへ遷移し、セルのカバーエリアが縮小されたことによって管理されなくなったエリアは、他の基地局におけるセルのカバーエリアを拡大することにより補償される。このように、ある基地局が、Energy Saving Stateへ遷移した他の基地局におけるセルのカバーエリアを補償する状態（補償状態）を、compensatingForEnergySaving stateとする。compensatingForEnergySaving stateは、３ＧＰＰの技術仕様書において定義されている。【０００４】
ここで、図１３及び１４を用いて、非特許文献１に開示されている、基地局がEnergy Saving Stateへ遷移することに伴うネットワーク構成の変化について説明する。図１３は、セルＢ〜セルＧを管理する基地局がEnergy Saving Stateへ遷移し、セルＡを管理する基地局がセルＢ〜セルＧを補償することを示している。ここで、Energy Saving Stateへ遷移した基地局が管理するセルを、Energy Saving Cell（省電力セル）とし、Energy Saving Cellを補償するように構成されるセルをCompensation Cell（補償セル）とする。つまり、セルＡがCompensation Cellであり、セルＢ〜セルＧがEnergy Saving Cellである。【０００５】
続いて、図１４は、セルＡを管理する基地局がEnergy Saving Stateへ遷移することにより、セルＡがEnergy Saving Cellとなることを示している。さらに、図１４は、セルＢ〜セルＧを管理する基地局が、セルＡを補償することにより、セルＢ〜セルＧが、Compensation Cellとなることを示している。
【先行技術文献】
【非特許文献】
【０００６】
【非特許文献１】3GPP TR36.927 V11.0.0 Potential solutions for energy saving for E-UTRAN (Release 11) (2012-09)
【発明の概要】
【発明が解決しようとする課題】
【０００７】
しかし、非特許文献１に開示されているネットワーク構成においては、Energy Saving Cell及びCompensation Cell間において、干渉が生じる過干渉状態が発生するという問題がある。ここで、図１５を用いて、過干渉状態が発生する処理の流れについて説明する。本図における処理の流れを説明する前提として、次のことを定める。セルＡは、セルＢ及びセルＣがEnergy Saving Cellへ遷移した場合に、セルＢ及びセルＣを補償するように拡大され、Compensation Cellとなる。つまり、Energy Saving Cell及びCompensation Cellの組み合わせは、事前のＯＡＭ設定等により予め定められている。【０００８】
初めに、セルＢを管理する基地局は、Energy Saving Stateへ遷移していない通常の状態（non Energy Saving State）とする（Ｓ１０１）。また、セルＣを管理する基地局は、Energy Saving Stateへ遷移したとする（Ｓ１０２）。この場合、セルＣを管理する基地局は、セルＡを管理する基地局へX2AP: ENB CONFIG UPDATEメッセージを送信する（Ｓ１０３）。X2AP: ENB CONFIG UPDATEメッセージには、Energy Saving Stateへ遷移したことを示す情報が含まれている。Energy Saving Stateへ遷移したことを示す情報は、Deactivation Indication ＝ Deactivatedとして設定されている。次に、セルＡを管理する基地局は、compensatingForEnergySaving stateへ遷移する（Ｓ１０４）。セルＡがcompensatingForEnergySaving stateへ遷移することによって、セルＡのカバーエリアが拡大する。この時、セルＡは、セルＢ及びセルＣを補償するように拡大される。そのため、セルＡと、Energy Saving Stateへ遷移していないセルＢとの間において干渉状態が発生する。その後、セルＢを管理する基地局がEnergy Saving Stateへ遷移することにより、セルＢを管理する基地局は、セルＡを管理する基地局へX2AP: ENB CONFIG UPDATEメッセージを送信する。【０００９】
このようにして、セルＣがEnergy Saving Cellへ遷移したことによりセルＡがCompensation Cellへ遷移した後、セルＢがEnergy Saving Cellへ遷移するまでの間、セルＡ及びセルＢの間において干渉状態が発生するという問題がある。【００１０】
本発明は、このような問題を解決するために、干渉状態の発生を最小に抑えながらそれぞれのセルを、Energy Saving CellもしくはCompensation Cellへ遷移させることができる移動通信システム、基地局、通信方法及びプログラムを提供することを目的とする。
【課題を解決するための手段】
【００１１】
本発明の第１の態様にかかる移動通信システムは、第１のセルを有する第１の基地局と、第２のセルを有する第２の基地局と、を有し前記第１の基地局が、前記第１のセルが省電力状態に移行する準備ができたことを示す第１の情報を、前記第２の基地局に送信するものである。【００１２】
本発明の第２の態様にかかる基地局は、第１のセルを有する基地局であって、前記第１のセルが省電力状態に移行し、前記第１のセルのカバーエリアが縮小されると、第２のセルのカバーエリアを拡大し前記第１のセルを補償するように構成される場合、前記第２のセルを有する第２の基地局と通信を行う通信部と、前記第１のセルが省電力状態に移行する準備ができたことを示す第１の情報を前記通信部を介して前記第２の基地局へ送信するものである。【００１３】
本発明の第３の態様にかかる通信方法は、第１のセルを有する基地局において用いられる通信方法であって、前記第１のセルが省電力状態に移行し、前記第１のセルのカバーエリアが縮小されると、第２のセルのカバーエリアを拡大し前記第１のセルを補償するように構成される場合、前記第１のセルが省電力状態に移行する準備ができたことを示す第１の情報を前記第２のセルを有する第２の基地局へ送信するものである。【００１４】
本発明の第４の態様にかかるプログラムは、第１のセルを有する基地局におけるコンピュータに実行させるプログラムであって、前記第１のセルが省電力状態に移行し、前記第１のセルのカバーエリアが縮小されると、第２のセルのカバーエリアを拡大し前記第１のセルを補償するように構成される場合、前記第１のセルが省電力状態に移行する準備ができたことを示す第１の情報を前記第２のセルを有する第２の基地局へ送信ステップを、コンピュータに実行させるものである。
【発明の効果】
【００１５】
本発明により、干渉状態の発生を最小に抑えながらそれぞれのセルを、Energy Saving CellもしくはCompensation Cellへ遷移させることができる移動通信システム、基地局、通信方法及びプログラムを提供することができる。
【図面の簡単な説明】
【００１６】
【図１】実施の形態１にかかる移動通信システムの構成図である。
【図２】実施の形態１にかかる基地局の構成図である。
【図３】実施の形態１にかかる基地局の構成図である。
【図４】実施の形態１にかかるEnergy Saving State及びcompensatingForEnergySaving stateへの遷移処理の流れを示す図である。
【図５】実施の形態１にかかるDeactivation Indicationの構成図である。
【図６】実施の形態１にかかるEnergy Saving Stateへ遷移する準備が完了した準備完了状態を取り消す場合の処理の流れを示す図である。
【図７】実施の形態２にかかる基地局の構成図である。
【図８】実施の形態２にかかるEnergy Saving State及びcompensatingForEnergySaving stateへの遷移処理の流れを示す図である。
【図９】実施の形態３にかかるＰＣＩ変更処理の流れを示す図である。
【図１０】実施の形態３にかかるServed Cell To Add/Modify配下に追加される情報を示す図である。
【図１１】実施の形態３にかかるＰＣＩ変更処理の流れを示す図である。
【図１２】実施の形態３にかかるＰＣＩ変更処理の流れを示す図である。
【図１３】基地局がEnergy Saving Stateへ遷移することに伴うネットワーク構成の変化について説明する図である。
【図１４】基地局がEnergy Saving Stateへ遷移することに伴うネットワーク構成の変化について説明する図である。
【図１５】過干渉状態が発生する処理の流れを示す図である。
【図１６】Coverage Holeが生じる状況を示す図である。
【図１７】ＰＣＩ重複が発生する場合のネットワーク構成図である。
【発明を実施するための形態】
【００１７】
（実施の形態１）
以下、図面を参照して本発明の実施の形態について説明する。はじめに、図１を用いて本発明の実施の形態１にかかる移動通信システムの構成例について説明する。本図の移動通信システムは、セル１を有する基地局１０及びセル２を有する基地局２０を有している。つまり、基地局１０は、カバーエリアとしてセル１の範囲を管理し、基地局２０は、カバーエリアとしてセル２の範囲を管理する。基地局１０及び基地局２０は、例えば、３ＧＰＰの技術仕様書に規定されているeNodeB（ｅＮＢ）や、NodeB等であってもよい。ｅＮＢは、主に、３ＧＰＰの技術仕様書に規定されている無線アクセス方式であるＬＴＥ方式を実現するために用いられる。
【００１８】
ここで、基地局１０が、Energy Saving Stateへ遷移する基地局であって、基地局２０がcompensatingForEnergySaving stateへ遷移する基地局とする。このような場合に、基地局１０がEnergy Saving Stateへ遷移する前に、Energy Saving Stateへ遷移する準備ができたことを示す情報（以下、準備完了メッセージ）を基地局２０へ送信する。
【００１９】
基地局２０は、基地局１０がEnergy Saving Stateへ遷移する前に、Energy Saving Stateへ遷移する準備ができたことを示す準備完了メッセージを受信することにより、基地局１０をEnergy Saving Stateへ遷移させるタイミングを制御することができる。このようにして、基地局２０が、基地局１０を含む複数の基地局のEnergy Saving Stateへの遷移タイミングを制御することにより、Energy Saving CellとCompensation Cellとの間に干渉状態が発生することを防止することができる。
【００２０】
続いて、図２を用いて本発明の実施の形態１にかかる基地局１０の構成例について説明する。ここでは、基地局１０が、Energy Saving Cellを管理する基地局として説明する。基地局１０は、通信部１１及び省電力制御部１２を有している。通信部１１は、他の基地局との間においてＸ２インタフェースを用いて通信を行う。
【００２１】
省電力制御部１２は、基地局１０をEnergy Saving Stateへ遷移させるか否かを制御する。例えば、基地局１０は、セル１内に在圏する移動局の数が少ない、もしくは、セル１内に在圏する移動局におけるデータ通信量が少ない等の場合に、Energy Saving Stateへ遷移してもよい。
【００２２】
つまり、省電力制御部１２は、セル１内に在圏する移動局の数に関する閾値をあらかじめ定め、あらかじめ定められた閾値を下回る移動局がセル１内に在圏していることを検出した場合、基地局１０をEnergy Saving Stateへ遷移させてもよい。もしくは、省電力制御部１２は、セル１内に在圏する移動局におけるデータ通信量に関する閾値をあらかじめ定め、データ通信量があらかじめ定められた閾値を下回ることを検出した場合、基地局１０をEnergy Saving Stateへ遷移させてもよい。
【００２３】
基地局１０がEnergy Saving Stateへ遷移するタイミングはこれらに限定されるものではなく、基地局１０は、その他の基準に従ってEnergy Saving Stateへ遷移してもよい。移動局数もしくはデータ通信量等の閾値に関する情報は、基地局１０内のメモリ等に格納されていてもよく、基地局１０の上位装置等に格納されていてもよい。例えば、上位装置は、３ＧＰＰの技術仕様書に定められているＭＭＥ（Mobility Management Entity）もしくはＲＮＣ（Radio Network Controller）であってもよい。
【００２４】
省電力制御部１２は、基地局１０をEnergy Saving Stateへ遷移させるタイミングを検出した場合、通信部１１を介して基地局２０へ、基地局１０がEnergy Saving Stateへ遷移もしくは移行する準備ができたことを示す情報（準備完了メッセージ）を送信する。省電力制御部１２は、基地局２０へ準備完了メッセージを送信した段階ではまだ基地局１０をEnergy Saving Stateへ遷移させない。省電力制御部１２は、基地局２０からEnergy Saving Stateへの遷移指示を受け取った場合に、基地局１０をEnergy Saving Stateへ遷移させる。
【００２５】
続いて、図３を用いて本発明の実施の形態１にかかる基地局２０の構成例について説明する。ここでは、基地局２０が、Compensation Cellを管理する基地局として説明する。基地局２０は、通信部２１、判定部２２及びセル補償制御部２３を有している。通信部２１は、他の基地局との間においてＸ２インタフェースを用いて通信を行う。通信部２１は、Energy Saving Stateへ遷移する複数の基地局から準備完了メッセージを受信する。さらに、通信部２１は、Energy Saving Stateへ遷移する複数の基地局へ、Energy Saving Stateへ遷移することを促す遷移指示メッセージを送信する。
【００２６】
判定部２２は、補償するセルとしてあらかじめ定められた周辺セルを管理する基地局から、準備完了メッセージを受信したか否かを判定する。Energy Saving Cell及びCompensation Cellの組み合わせはあらかじめ定められている。例えば、図１３において、Energy Saving CellがセルＢ及びセルＣとなる場合、Compensation CellがセルＡとなる等のように、あらかじめ定められている。このような場合、判定部２２は、あらかじめ組み合わせが定められているEnergy Saving Cellを管理する複数の基地局（セルＢを管理する基地局及びセルＣを管理する基地局）から準備完了メッセージを受け取ったか否かを判定する。判定部２２は、判定結果をセル補償制御部２３へ出力する。さらに、判定部２２は、あらかじめ組み合わせが定められているEnergy Saving Cellを管理する複数の基地局から、Energy Saving Stateへ遷移したことを報告するメッセージを受け取ったか否かについても判定する。
【００２７】
セル補償制御部２３は、判定部２２から、あらかじめ組み合わせが定められているEnergy Saving Cellを管理する複数の基地局から準備完了メッセージを受け取ったとする判定結果が出力された場合、通信部２１を介して、あらかじめ組み合わせが定められているEnergy Saving Cellを管理する複数の基地局へEnergy Saving Stateへ遷移することを促す遷移指示メッセージを送信する。さらに、セル補償制御部２３は、あらかじめ組み合わせが定められているEnergy Saving Cellを管理する複数の基地局からEnergy Saving Stateへ遷移したことを報告するメッセージを受け取ったとする判定結果が出力された場合、基地局２０をcompensatingForEnergySaving stateへ遷移させる。
【００２８】
続いて、図４を用いて本発明の実施の形態１にかかるEnergy Saving Stateへの遷移処理及びcompensatingForEnergySaving stateへの遷移処理の流れについて説明する。ここでは、基地局としてｅＮＢが用いられる場合について説明する。さらに、本図において伝送されるメッセージ名称等は、３ＧＰＰの技術仕様書において定められているもしくは新たに定めるメッセージ名称等が用いられている。また、本図においては、図１３においてEnergy Saving CellがセルＢ及びセルＣとなる場合、Compensation CellがセルＡとなるということを前提として説明する。また、本図におけるES Cell #Bは、セルＢを管理する基地局であって、Energy Saving Stateへ遷移する基地局であることを示している。ES Cell #Cも同様である。Compensation Cell #Aは、セルＡを管理する基地局であって、compensatingForEnergySaving stateへ遷移する基地局であることを示している。
【００２９】
はじめに、ES Cell #Bは、Energy Saving Stateへ遷移するタイミングを検出した場合、Compensation Cell #AへX2AP:ENB CONFIG UPDATEメッセージを送信する（Ｓ１１）。
【００３０】
ここで、図５を用いて、X2AP:ENB CONFIG UPDATEメッセージに設定されるDeactivation Indicationの構成例について説明する。Deactivation Indicationには、ENUMERATEDとする情報要素が設定されている。ENUMERATEDに設定する値に応じて、X2AP:ENB CONFIG UPDATEメッセージを用いて通知される内容が定まる。例えば、ENUMERATEDにDeactivatedが設定された場合、X2AP:ENB CONFIG UPDATEメッセージの送信元の基地局が、Energy Saving Stateへ遷移したことを示している。ここで、ENUMERATEDに、ReadyToDeactivationが設定された場合、X2AP:ENB CONFIG UPDATEメッセージの送信元の基地局が、Energy Saving Stateへ遷移する準備ができたことを示している。つまり、ENUMERATEDにReadyToDeactivationが設定されたX2AP:ENB CONFIG UPDATEメッセージが、準備完了メッセージに対応する。
【００３１】
図４に戻り、ES Cell #Cは、Energy Saving Stateへ遷移するタイミングを検出した場合、Compensation Cell #AへX2AP:ENB CONFIG UPDATEメッセージを送信する（Ｓ１２）。ステップＳ１１及びＳ１２においては、ReadyToDeactivationが設定されたX2AP:ENB CONFIG UPDATEメッセージが用いられる。次に、Compensation Cell #Aは、自身がCompensation Cellになる場合に、Energy Saving CellとなるES Cell #B及びES Cell #CからReadyToDeactivationが設定されたX2AP:ENB CONFIG UPDATEメッセージを受け取ったことにより、あらかじめ組み合わせが定められているEnergy Saving Cellを管理する複数の基地局（ES Cell #B及びES Cell #C）から準備完了メッセージを受け取ったと判定する（Ｓ１３）。
【００３２】
次に、Compensation Cell #Aは、ES Cell #B及びES Cell #CへX2AP:CELL DEACTIVATIONメッセージを送信する（Ｓ１４）。X2AP:CELL DEACTIVATIONメッセージは、ES Cell #B及びES Cell #Cに対する遷移指示メッセージに対応する。
【００３３】
次に、ES Cell #B及びES Cell #Cは、X2AP:CELL DEACTIVATIONメッセージを受信すると、Energy Saving Stateへ遷移する（Ｓ１５）。次に、ES Cell #B及びES Cell #Cは、Energy Saving Stateへ遷移したため、Compensation Cell #Aへ、Deactivation IndicationのENUMERATEDにDeactivatedを設定したX2AP:ENB CONFIG UPDATEメッセージを送信する（Ｓ１６）。次に、Compensation Cell #Aは、compensatingForES stateへ遷移する（Ｓ１７）。
【００３４】
続いて、図６を用いて本発明の実施の形態１にかかる、Energy Saving Stateへ遷移する準備が完了した準備完了状態を取り消す場合の処理の流れについて説明する。
【００３５】
はじめに、ES Cell #Bは、Energy Saving Stateへ遷移するタイミングを検出した場合、Compensation Cell #AへX2AP:ENB CONFIG UPDATEメッセージを送信する（Ｓ１１）。
【００３６】
ここで、ES Cell #Bは、自身のセルＢに在圏する移動局が増加した、もしくは、セルＢに在圏する移動局におけるデータ通信量が増加した等により、Energy Saving Stateへ遷移することを取り消す場合にも、Compensation Cell #AへX2AP:ENB CONFIG UPDATEメッセージを送信する（Ｓ２２）。ステップＳ２２において送信されるX2AP:ENB CONFIG UPDATEメッセージには、Deactivation IndicationのENUMERATEDにnotReadyToDeactivationが設定される。ENUMERATEDにnotReadyToDeactivationが設定されることにより、Energy Saving Stateへ遷移する準備が完了した準備完了状態が取り消される。
【００３７】
以上説明したように、本発明の実施の形態１にかかる移動通信システムを用いることにより、複数の基地局間において、Energy Saving State及びcompensatingForEnergySaving stateへ遷移するタイミングを制御することができる。具体的には、準備完了メッセージを用いることにより、周辺のあらかじめ組み合わされた基地局がEnergy Saving Stateへ遷移するタイミングを制御することができる。そのため、例えば、セルＢ及びセルＣを管理する基地局がEnergy Saving Stateへ遷移した後に、セルＡを管理する基地局がcompensatingForEnergySaving stateへ遷移することにより、Energy Saving CellとCompensation Cellとの間に干渉状態が発生することを防止することができる。
【００３８】
さらに、notReadyToDeactivationを新たに設けることにより、Energy Saving Stateへ遷移する準備が完了した準備完了状態においても、在圏する移動局の変動等の環境の変換に伴い、容易に準備完了状態を取り消すことができる。
【００３９】
さらに、本発明の実施の形態１にかかる移動通信システムを用いることにより、Coverage Holeが生じることを防止することもできる。ここで、図１６を用いて、非特許文献１に開示されているネットワークにおいて、Coverage Holeが生じる状況について説明する。Coverage Holeとは、いずれの基地局が有するセルのカバーエリアに属さないエリアである。図１６においては、Compensation Cell #Aが、あらかじめ組み合わされたES Cell #B及びES Cell #CがEnergy Saving Stateへ遷移した後に、compensatingForEnergySaving stateへ遷移する場合について説明する。
【００４０】
はじめに、ES Cell #Cは、Energy Saving Stateへ遷移する（Ｓ１１１）。次に、ES Cell #Cは、Compensation Cell #Aへ、X2AP:ENB CONFIG UPDATEメッセージを送信する。X2AP:ENB CONFIG UPDATEメッセージには、Deactivation IndicationのENUMERATEDにDeactivatedが設定され、Compensation Cell #AにES Cell #CがEnergy Saving Stateへ遷移したことが通知される。
【００４１】
ここで、ES Cell #B及びES Cell #CにおいてEnergy Saving Stateへ遷移するタイミングがずれた場合、ES Cell #CがEnergy Saving Stateへ遷移した後しばらくCompensation Cell #Aによって、セルＣが補償されることはない。そのため、ES Cell #Cが、Energy Saving Stateへ遷移した後であって、Compensation Cell #AがcompensatingForEnergySaving stateへ遷移するまでの間、Coverage Holeが生じることになる。
【００４２】
その後、ES Cell #BがEnergy Saving Stateへ遷移し（Ｓ１１３）、Compensation Cell #AへX2AP:ENB CONFIG UPDATEメッセージを送信する（Ｓ１１４）。X2AP:ENB CONFIG UPDATEメッセージには、Deactivation IndicationのENUMERATEDにDeactivatedが設定される。
【００４３】
Compensation Cell #Aは、ES Cell #B及びES Cell #CがEnergy Saving Stateへ遷移したことを通知されると、compensatingForEnergySaving stateへ遷移する（Ｓ１１５）。Compensation Cell #AがcompensatingForEnergySaving stateへ遷移することにより、Coverage Holeは解消される。
【００４４】
これに対して、本発明の実施の形態１における移動通信システムにおいてES Cell #B及びES Cell #Cが送信する準備完了メッセージを用いることにより、ES Cell #B及びES Cell #CがEnergy Saving Stateへ遷移するタイミングを制御することができる。これにより、ES Cell #B又はES Cell #CにCoverage Holeが生じることを防止することができる。もしくは、ES Cell #B又はES Cell #CにCoverage Holeが生じる時間を最小限に抑えることができる。
【００４５】
また、上記の実施の形態においては、Compensation Cell #A及びES Cell #B並びにCompensation Cell #A及びES Cell #Cの間において、X2APメッセージを用いる例について説明したが、用いられるメッセージはこれに制限されない。例えば、Compensation Cell #A及びES Cell #B並びにCompensation Cell #A及びES Cell #Cの間において、ＵＥを経由するRRCメッセージが用いられてもよい。さらには、ｅＮＢの上位装置であるＭＭＥを経由するＳ１関連メッセージが用いられてもよい。さらには、ＯＡＭインタフェースにおいて伝送されるメッセージが用いられてもよい。
【００４６】
（実施の形態２）
続いて、図７を用いて本発明の実施の形態２にかかる基地局３０の構成例について説明する。ここでは、基地局３０が、Energy Saving Cellを管理する基地局として説明する。さらに、基地局３０が管理するEnergy Saving Cellが、複数の他の基地局が管理するCompensation Cellによって補償される場合について説明する。基地局３０は、通信部３１、判定部３２及び省電力制御部３３を備えている。本図の基地局３０は、図２における基地局１０と比較して判定部３２を有している点が異なる。以下、通信部３１及び省電力制御部３３は、図２における通信部１１及び省電力制御部１２と異なる点を主に説明する。
【００４７】
省電力制御部３３は、基地局３０をEnergy Saving Stateへ遷移させるタイミングを検出した場合、通信部１１を介して複数の基地局へ、準備完了メッセージを送信する。準備完了メッセージが通知される複数の基地局とは、基地局３０が管理するEnergy Saving Cellを補償するCompensation Cellを管理する複数の基地局である。基地局３０をEnergy Saving Stateへ遷移させるタイミングの検出は、図２において説明した検出処理と同様であるため詳細な説明を省略する。
【００４８】
判定部３２は、準備完了メッセージの送信先であるすべての基地局から、Energy Saving Stateへ遷移することを指示する遷移指示メッセージを受け取ったか否かについて判定する。判定部３２は、判定結果を省電力制御部３３へ出力する。
【００４９】
ここで、判定部３２において、準備完了メッセージの送信先であるすべての基地局から、遷移指示メッセージを受け取ったと判定された場合、省電力制御部３３は、基地局３０をEnergy Saving Stateへ遷移させる。
【００５０】
続いて、図８を用いて本発明の実施の形態２にかかるEnergy Saving Stateへの遷移処理及びcompensatingForEnergySaving stateへの遷移処理の流れについて説明する。本図においては、Compensation Cell #B及び＃Cが、ES Cell #Aにおいて管理されるセルＡを補償することを前提とする。初めに、Compensation Cell #B及びCompensation Cell #Cは、X2リンクを確立する（Ｓ３１）。次に、ES Cell #Aは、Energy Saving Stateへ遷移するタイミングを検出した場合、Compensation Cell #BへX2AP:ENB CONFIG UPDATEメッセージを送信する（Ｓ３２）。ここで、X2AP ENB CONFIG UPDATEメッセージのDeactivation IndicationのENUMERATEにはReadyToDeactivationが設定される。
【００５１】
次に、Compensation Cell #Bは、X2APメッセージを用いて、Compensation Cell #CへES Cell #AからReadyToDeactivationを受け取ったことを通知する（Ｓ３３）。ステップＳ３３において用いられるX2APメッセージは、すでに定義されているメッセージを用いてもよく、新たに定義されたメッセージが用いられてもよい。
【００５２】
次に、ES Cell #Aは、Compensation Cell #CへReadyToDeactivationを設定したX2AP:ENB CONFIG UPDATEメッセージを送信する（Ｓ３４）。次に、Compensation Cell #Cは、X2APメッセージを用いて、Compensation Cell #BへES Cell #AからReadyToDeactivationをを受け取ったことを通知する（Ｓ３５）。このようにして、Compensation Cell #B及び#Cの間において、ES Cell #AからReadyToDeactivationを受け取ったことを通知しあうことにより、ES Cell #Aを補償するために組み合わされたCompensation Cell #B及び#CのそれぞれにReadyToDeactivationが通知されたことを認識することができる。これにより、Compensation Cell #B及び＃Cは、ES Cell #Aに対してEnergy Saving Stateへ遷移することを指示する遷移指示メッセージを送信することができると判定する（Ｓ３６及びＳ３７）。
【００５３】
次に、Compensation Cell #B及び＃Cは、ES Cell #Aへ、X2AP:CELL DEACTIVATIONメッセージを送信する（Ｓ３８）。
【００５４】
次に、ES Cell #Aは、ReadyToDeactivationを通知したCompensation Cell #B及び＃CからX2AP:Cell DEACTIVATIONメッセージを受信したと判定すると（Ｓ３９）、Energy Saving Stateへ遷移する（Ｓ４０）。
【００５５】
次に、ES Cell #Aは、Energy Saving Stateへ遷移したことを通知するために、Compensation Cell #B及び＃CへX2AP:ENB CONFIG UPDATEメッセージを送信する（Ｓ４１）。ステップＳ４１において送信されるX2AP:ENB CONFIG UPDATEのDeactivation IndicationのENUMERATEDには、Deactivatedが設定されている。次に、Compensation Cell #B及び＃Cは、ES Cell #AからDeactivatedを通知されるとcompensatingForES stateへ遷移する（Ｓ４２、Ｓ４３）。
【００５６】
以上説明したように、本発明の実施の形態２にかかる移動通信システムを用いることにより、複数の基地局間において、Energy Saving State及びcompensatingForEnergySaving stateへ遷移するタイミングを制御することができる。具体的には、準備完了メッセージを用いることにより、基地局がEnergy Saving Stateへ遷移するタイミングを制御することができる。そのため、例えば、セルＡを管理する基地局がEnergy Saving Stateへ遷移した後に、セルＢ及びセルＣを管理する基地局がcompensatingForEnergySaving stateへ遷移することにより、Energy Saving CellとCompensation Cellとの間に干渉状態が発生することを防止することができる。
【００５７】
さらに、実施の形態１と同様に、Energy Saving State及びcompensatingForEnergySaving stateへ遷移するタイミングを制御することにより、Coverage Holeが生じることを防止することもできる。
【００５８】
また、上記の実施の形態においては、ES Cell #A及びCompensation Cell #B並びにES Cell #A及びCompensation Cell #Cの間において、X2APメッセージを用いる例について説明したが、用いられるメッセージはこれに制限されない。例えば、ES Cell #A及びCompensation Cell #B並びにES Cell #A及びCompensation Cell #Cの間において、ＵＥを経由するRRCメッセージが用いられてもよい。さらには、ｅＮＢの上位装置であるＭＭＥを経由するＳ１関連メッセージが用いられてもよい。さらには、ＯＡＭインタフェースにおいて伝送されるメッセージが用いられてもよい。
【００５９】
（実施の形態３）
続いて、図１７を用いて、本発明の実施の形態３において前提となる課題について説明する。本図においては、Cell#2〜Cell#7がEnergy Saving Stateへ遷移した場合、Cell#1がCell#2〜Cell#7を補償するためにcompensatingForEnergySaving stateへ遷移する。また、Cell#2〜Cell#7がEnergy Saving Stateへ遷移する前の状況において、Cell#1のＰＣＩはＢと設定されており、Cell#10のＰＣＩもＢと設定されている。ＰＣＩ（物理セルＩＤ）は、セルを識別する識別子として用いられる。ＰＣＩは、有限である。そのため移動通信ネットワーク内のセルにＰＣＩが割り当てられる際に、通信に影響が出ないように重複した値が割り当てられることもある。
【００６０】
本図の左図のように、ＰＣＩとして同様の値Ｂが用いられた場合においても、Cell#9に隣接する周辺のセルにおいてＰＣＩが重複しなければ、Cell#9は、隣接する周辺のセルを一意に識別することができるため問題はない。
【００６１】
しかし、Cell#2〜Cell#7がEnergy Saving Stateへ遷移し、Cell#1がCell#2〜Cell#7を補償するためにcompensatingForEnergySaving stateへ遷移した場合、Cell#1のカバーするエリアが拡大される。これにより、Cell#1は、Cell#9に隣接することになる。このような場合、Cell#9の周辺には、ＰＣＩがＢに設定されたCell#1及びCell#10が隣接することになる。そのため、例えば、Cell#9配下のＵＥの測定報告（measurement report）としてＰＣＩ値Ｂが報告された場合に、Cell#1とCell#10のどちらのセルなのかを特定することができない。このような場合、Cell#9配下のＵＥのハンドオーバ先が特定できなくなるという問題が生じる。
【００６２】
そこで、本発明の実施の形態３においては、あるセルに隣接する複数のセルにおいてＰＣＩの重複（PCI Confusion）が発生すること及び隣り合うセルが同じＰＣＩとなること（PCI Collision）が発生することを防止させることを目的とする。
【００６３】
本発明の実施の形態３においては、Energy Saving Cell及びCompensation Cellのほかに、Neighbor Cellを新たに定義する。Neighbor Cellは、あるセルに隣接するセルであり、Neighbor Cellが、Energy Saving CellもしくはCompensation Cellとなることもある。
【００６４】
続いて、図９を用いて本発明の実施の形態３にかかるＰＣＩ変更処理の流れについて説明する。本図におけるNeighbor Cell #9、ES Cell #2及びCompensation Cell #1は、それぞれ図１７のセル番号に対応する。
【００６５】
はじめに、Compensation Cell#1は、compensatingForES state遷移時のネイバーセル情報（ＮＲ：Neighbor cell Relation）を更新する（Ｓ５１）。ＮＲは、例えば、compensatingForES state遷移時に、どのセルと隣接するか等に関する情報が含まれる。
【００６６】
次に、Compensation Cell #1は、compensatingForES state遷移時に隣接するNeighbor Cell #9へ、ＮＩ（Neighbor Information）を含むX2 SETUP REQメッセージを送信する（Ｓ５２）。ＮＩには、例えば、compensatingForES state遷移時におけるCompensation Cell #1のNeighbor CellのＰＣＩが含まれている。
【００６７】
次に、Neighbor Cell #9は、ＮＩを含むX2 SETUP RESPメッセージを送信する（Ｓ５３）。このＮＩには、例えば、Neighbor Cell #9のNeighbor CellのＰＣＩが含まれている。
【００６８】
次に、Neighbor Cell #9は、Compensation Cell #1から送信されたＮＲを格納し、すでにＮＲが存在する場合には、既存のＮＲを更新する（Ｓ５４）。次に、Neighbor Cell #9及びCompensation Cell #1は、PCI Confusionが発生しないようなＰＣＩを選択し、選択したＰＣＩへ変更する。例えば、Neighbor Cell #9は、Compensation Cell #1のNeighbor CellのＰＣＩと重複しないように自身のＰＣＩを変更し、Compensation Cell #1は、Neighbor Cell #9のNeighbor CellのＰＣＩと重複しないように自身のＰＣＩを変更してもよい。さらに、Neighbor Cell #9及びCompensation Cell #1がそれぞれ異なるＰＣＩとなるように、Neighbor Cell #9もしくはCompensation Cell #1は、自身のＰＣＩを変更してもよい。このように隣接するセルのＰＣＩを重複しないようにすることによって、PCI Collisionが発生することを防止することができる。
【００６９】
次に、ES Cell #2がEnergy Saving Stateへ遷移すると（Ｓ５７）、ES Cell #2は、Neighbor Cell #9及びCompensation Cell #1へX2AP:ENB CONFIG UPDATEメッセージを送信する。X2AP:ENB CONFIG UPDATEメッセージのDeactivation Indicationには、Deactivatedが設定されている。
【００７０】
次に、Neighbor Cell #9は、Compensation Cell #1から通知されたＮＲを適用する（Ｓ６０）。また、Compensation Cell #1は、compensatingForES stateへ遷移し（Ｓ６１）、更新したＮＲを適用する（Ｓ６２）。
【００７１】
また、ステップＳ５７においてES Cell #2が、Energy Saving Stateへ遷移する以前に、図４のステップＳ１１〜Ｓ１４もしくは図８のステップＳ３２〜３９が実行されてもよい。
【００７２】
ここで、ステップＳ５２及びＳ５３において伝送されるX2 SETUP REQ/RESPメッセージについて説明する。X2 SETUP REQ/RESPメッセージに設定されるServed Cell To Add/Modify配下に、Compensation Cell #1が、compensatingForES state遷移した場合におけるNeighbor Cell の情報を追加するために、図１０に示す情報要素を追加する。
【００７３】
続いて、図１１を用いて本発明の実施の形態３にかかる図９とは異なるＰＣＩ変更処理の流れについて説明する。図９は、Compensation Cell #1が、自らNeighbor Cell #9とＸ２インタフェースを介したＸ２リンクを確立するのに対して、図１１は、Neighbor Cell #9が、Compensation Cell #1とＸ２リンクを確立する点において異なる。
【００７４】
はじめに、ES Cell #2は、Neighbor Cell #9へENB CONFIGURATION UPDATEメッセージを送信する（Ｓ７１）。このENB CONFIGURATION UPDATEメッセージには、ES Cell #2がEnergy Saving Stateへ遷移した場合、Cell#1に補償されるという情報が含まれている。
【００７５】
次に、Neighbor Cell #9は、Compensation Cell #1へX2 SETUP REQメッセージを送信する（Ｓ７２）。X2 SETUP REQには、Neighbor Cell #9のNeighbor Cell に関するＮＩが含まれている。
【００７６】
次に、Compensation Cell #1は、Neighbor Cell #9へX2 SETUP RESPメッセージを送信する（Ｓ７３）。X2 SETUP RESPメッセージには、Compensation Cell #1がcompensatingForES stateへ遷移した場合におけるNeighbor Cellに関するＮＩが含まれている。ステップＳ７４〜ステップＳ８１は、図９におけるステップＳ５５〜ステップＳ６２と同様であるため詳細な説明を省略する。
【００７７】
続いて、図１２を用いて本発明の実施の形態３にかかる図９及び図１０とは異なるＰＣＩ変更処理の流れについて説明する。図１２は、Neighbor Cell #9がＵＥを介してES Cell #2を補償するCompensation Cell #1に関する情報を取得する点において、図９及び図１０と異なる。
【００７８】
はじめに、Neighbor Cell #9は、Cell#9に在圏するＵＥへEnergy Saving Cellに関する情報を問い合わせるためUnknown PCI（ES Cell）メッセージを送信する。次に、ＵＥは、Cell#2に関する測定結果を、reportCGI（CGI：Cell Global Identity））メッセージに設定して送信する。
【００７９】
次に、ES Cell #2は、ＵＥへＲＲＣ[ECGI&SIB：CompensatedByCell#1]メッセージを送信する。ＲＲＣ[ECGI&SIB：CompensatedByCell#1]メッセージは、ES Cell #2がEnergy Saving Stateへ遷移した場合、Cell#1によって補償されることが示されている。
【００８０】
次に、ＵＥは、Neighbor Cell #9へＭＲ（ECGI&Cell#2 is CompensatedByCell#1）メッセージを送信する（Ｓ９４）。これにより、Neighbor Cell #9は、Cell #2が、Energy Saving Stateへ遷移した場合Cell#1によって補償されることを検出する（Ｓ９５）。ステップＳ９６〜ステップＳ１０５は、図１１におけるステップＳ７２〜ステップＳ８１と同様であるため詳細な説明を省略する。
【００８１】
以上説明したように、本発明の実施の形態３にかかるＰＣＩ変更処理を用いることにより、基地局が、compensatingForES stateへ遷移し、ネットワーク全体のセル構成が変更された場合においても、PCI Confusion及びPCI Collisionが発生することを防止することができる。
【００８２】
また、本発明の実施の形態３にかかるＰＣＩ変更処理を用いることにより、ネットワーク内のそれぞれのｅＮＢが、ＮＩを共有することができるためマルチベンダ環境においてもPCI Confusion及びPCI Collisionが発生することを防止することができる。
【００８３】
また、上記の実施の形態においては、X2APメッセージもしくはRRCメッセージを用いてＮＩを共有する例について説明しているが、X2APメッセージ及びRRCメッセージの代わりに、Ｓ１メッセージが用いられてもよい。もしくは、ＯＡＭインタフェースにおいて伝送されるメッセージが用いられてもよい。
【００８４】
また、実施の形態３においては、図１３のケースについて説明しているが、図１４のケースにおいても、それぞれのｅＮＢが、ＮＩ情報を共有することにより、同様にPCI Confusionの発生を防止することができる。
【００８５】
なお、本発明は上記実施の形態に限られたものではなく、趣旨を逸脱しない範囲で適宜変更することが可能である。
【００８６】
上述の実施の形態では、ハードウェアの構成として説明したが、これに限定されるものではなく、図４、図６、図８、図９、図１１及び図１２の基地局における処理を、ＣＰＵ（Central Processing Unit）にコンピュータプログラムを実行させることにより実現することも可能である。この場合、コンピュータプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８７】
以上、実施の形態を参照して本願発明を説明したが、本願発明は上記によって限定されるものではない。本願発明の構成や詳細には、発明のスコープ内で当業者が理解し得る様々な変更をすることができる。
【００８８】
この出願は、２０１２年１１月２９日に出願された日本出願特願２０１２−２６０７１７を基礎とする優先権を主張し、その開示の全てをここに取り込む。
【符号の説明】
【００８９】
１  セル
２  セル
１０  基地局
１１  通信部
１２  省電力制御部
２０  基地局
２１  通信部
２２  判定部
２３  セル補償制御部
３０  基地局
３１  通信部
３２  判定部
３３  省電力制御部
【図１】
2014083720.tif 000003
【図２】
2014083720.tif 000004
【図３】
2014083720.tif 000005
【図４】
2014083720.tif 000006
【図５】
2014083720.tif 000007
【図６】
2014083720.tif 000008
【図７】
2014083720.tif 000009
【図８】
2014083720.tif 000010
【図９】
2014083720.tif 000011
【図１０】
2014083720.tif 000012
【図１１】
2014083720.tif 000013
【図１２】
2014083720.tif 000014
【図１３】
2014083720.tif 000015
【図１４】
2014083720.tif 000016
【図１５】
2014083720.tif 000017
【図１６】
2014083720.tif 000018
【図１７】
2014083720.tif 000019
【手続補正書】
【提出日】平成27年5月7日(2015.5.7)
【手続補正１】
【補正対象書類名】特許請求の範囲
【補正対象項目名】請求項１９
【補正方法】変更
【補正の内容】
【請求項１９】
第１のセルを有する基地局におけるコンピュータに実行させるプログラムであって、
前記第１のセルが省電力状態に移行し、前記第１のセルのカバーエリアが縮小されると、第２のセルのカバーエリアを拡大し前記第１のセルを補償するように構成される場合、
前記第１のセルが省電力状態に移行する準備ができたことを示す第１の情報を前記第２のセルを有する第２の基地局へ送信ステップを、コンピュータに実行させるプログラム。
【国際調査報告】
2014083720.tif 000020
2014083720.tif 000021
2014083720.tif 000022
2014083720.tif 000023